(57)【要約】【課題】沈下中のケーソンの傾斜を容易に低コストで修正できる方法を実現したケーソン工法を提供する。【解決手段】ケーソン１の刃口部１１周辺の土を掘削して穴３を形成し、穴３からケーソン１の外周壁１２の外側を掘削して外周壁１２と土壁５との間に隙間４を形成する。穴３から隙間４へ緩衝材２を挿入する。ケーソン１の外周壁１２と土壁５との間に緩衝材２が挿入されているため、ケーソン１が沈下中に傾いてしまっても、緩衝材２が圧縮・膨張することにより、沈下が早い側すなわち低い側のケーソン１の刃口部１１周辺の土の掘削を止め、沈下の遅い側すなわち高い側のケーソン１の刃口部１１周辺の土を掘削すれば、ケーソン１の傾斜を容易に修正することができる。また、緩衝材２は非常に安価なため低コストでケーソン１の傾斜の修正を実現できる。【選択図】図１
2014077282.tif 000002
【特許請求の範囲】
【請求項１】
ケーソンを沈下させる際において前記ケーソンの刃口部周辺の土を掘削して穴を形成し、前記穴から前記ケーソンの外側を掘削して前記ケーソンの外周壁と土壁との間に隙間を形成し、前記穴から前記隙間に緩衝材を挿入することを特徴とするケーソン工法。
【請求項２】
ケーソンを沈下させる際において前記ケーソンの刃口部周辺の土を掘削して穴を形成し、前記穴から前記ケーソンの外側を掘削して前記ケーソンの外周壁と土壁との間に隙間を形成し、前記穴から前記隙間に発泡スチロールを挿入することを特徴とするケーソン工法。
【発明の詳細な説明】
【技術分野】
【０００１】
本発明は、地下構造物を建設するケーソン工法に関するものである。
【背景技術】
【０００２】
地階を有する超高層ビル、地下駐車場等の地下構造物を建設する方法として、土留工法とケーソン工法が知られている。ケーソン工法は、土留工法と比較して仮設工事費が安く、必要体積以外の掘削が少なくてすむというメリットがある。さらに、騒音や振動がなく、敷地境界線近くまで工事できるケーソン工法は敷地に余裕のない市街地においては最適である。しかしながら、ケーソン工法において、ケーソンの刃口部周辺の土の性質や掘削が一様でないために、ケーソンが沈下中に傾いてしまうことが多い。そこで、ケーソンの傾斜を修正する方法として、油圧ジャッキを用いて修正する方法（特開平６−１０８４７３号公報）、膨縮マットを用いて修正する方法（特開２００４−４４２４２号公報）、刃口部の向きを変えて修正する方法（特開２００４−９２２７５号公報）等が提案されている。
【先行技術文献】
【特許文献】
【０００３】
【特許文献１】特開平６−１０８４７３号公報
【特許文献２】特開２００４−４４２４２号公報
【特許文献３】特開２００４−９２２７５号公報
【発明の概要】
【発明が解決しようとする課題】
【０００４】
ケーソンが沈下中に傾いてしまった場合、沈下が早い側すなわち低い側の前記ケーソンの刃口部周辺の土の掘削を止め、沈下が遅い側すなわち高い側の前記ケーソンの刃口部周辺の土を掘削して前記ケーソンの傾斜を修正しようとすると、土の可塑性により沈下が早い側の土が圧密されて、前記ケーソンの高い側がさらに浮き上がってしまい、前記ケーソンの傾斜はますます増加してしまう。また、先行技術文献に記載されている方法では、強制的にケーソンの傾斜を修正するためケーソン躯体に負荷がかかる、特殊な装置を用いるためコストがかかるという問題点がある。そこで本発明では、ケーソンの傾斜を容易に低コストで修正できる方法を実現したケーソン工法を提供することを課題とする。
【課題を解決するための手段】
【０００５】
請求項1記載の発明に係るケーソン工法は、ケーソンを沈下させる際において前記ケーソンの刃口部周辺の土を掘削して穴を形成し、前記穴から前記ケーソンの外側を掘削して前記ケーソンの外周壁と土壁との間に隙間を形成し、前記穴から前記隙間に緩衝材を挿入することを特徴とする。
【０００６】
請求項２記載の発明に係るケーソン工法は、ケーソンを沈下させる際において前記ケーソンの刃口部周辺の土を掘削して穴を形成し、前記穴から前記ケーソンの外側を掘削して前記ケーソンの外周壁と土壁との間に隙間を形成し、前記穴から前記隙間に発泡スチロールを挿入することを特徴とする。
【発明の効果】
【０００７】
本発明によれば、ケーソンが沈下中に傾いてしまっても、前記ケーソンの外周壁と土壁との間に挿入された発泡スチロール等の緩衝材が圧縮・反発することにより、沈下が早い側すなわち低い側の前記ケーソンの刃口部周辺の土の掘削を止め、沈下が遅い側すなわち高い側の前記ケーソンの刃口部周辺の土を掘削すれば、前記ケーソンの傾斜を容易に修正することができる。また、発泡スチロール等の緩衝材は非常に安価なため低コストでケーソンの傾斜の修正を実現できる。また、地下構造物を建設した後も前記構造物と土壁との間に前記緩衝材が介在することにより、水平方向の免震効果がある。前記緩衝材は地中にあるため紫外線による品質劣化がなく、長期間にわたって免震効果がある。
【図面の簡単な説明】
【０００８】
【図１】ケーソンの外周壁と土壁との間の隙間に緩衝材を挿入している様子を示した断面図である。
【図２】沈下中に傾いたケーソンの傾斜を修正するときの様子を示した断面図である。
【図３】箱型構造物を建設したときの様子を示した断面図である。
【図４】箱型構造物の内側を防水膜で覆い、前記箱型構造物の内部に地下構造物を建設したときの様子を示した断面図である。
【図５】沈下中に傾いたケーソンの外周壁と土壁との間の隙間に緩衝材を挿入している様子を示した断面図である。
【発明を実施するための形態】
【０００９】
本発明について、図を参照しながら以下説明する。まず、本発明の第１の実施形態を説明する。図１は、ケーソンの外周壁と土壁との間の隙間に緩衝材を挿入している様子を示した断面図である。ケーソン１の刃口部１１周辺の土を掘削して穴３を形成し、穴３からケーソン１の外周壁１２の外側の土を掘削して外周壁１２と土壁５との間に隙間４を形成する。穴３から隙間４へ緩衝材２を挿入する。ケーソン１の沈下開始からケーソン１が所定の深さに到達するまで、上記作業を繰り返す。緩衝材２はスラブ型でもブロック型でも良い。隙間４の幅は20 cm程度が望ましい。なお、ケーソン１の形状は円筒状でも四角筒状でも、どんな形状であってもよい。
【００１０】
図２は、沈下中に傾いたケーソンの傾斜を修正するときの様子を示した断面図である。ケーソン１の低い側１３の土の掘削を止めて、ケーソン１の高い側１４の刃口部１１周辺の土を掘削して穴３を形成すれば、緩衝材２１が圧縮されて緩衝材２２が反発してケーソン1の高い側１４が沈下することにより、ケーソン1の傾斜が容易に修正できる。
【００１１】
図３は、ケーソンが所定の深さまで到達し、底を構築して箱型構造物を建設したときの様子を示した断面図である。箱型構造物６の外周壁１２と土壁５との間に緩衝材２が介在しているため、水平方向の免震効果がある。また、緩衝材２が地中にあるため、紫外線による品質劣化を防ぐことができ、長期間にわたって免震効果がある。
【００１２】
図４は、箱型構造物の内側を防水膜で覆い、前記箱型構造物の内部に地下構造物を建設したときの様子を示した断面図である。箱型構造物６の内側にアスファルト防水材等の防水膜７を施し、箱型構造物６の内部に地下構造物８を建設する。地下構造物８は防水膜７により外側から防水され、完全な外防水を施工することができる。
【００１３】
次に、本発明の第２の実施形態を説明する。図５は、沈下中に傾いたケーソンの外周壁と土壁との間の隙間に緩衝材を挿入している様子を示した断面図である。ケーソン１が水平に沈下している間はケーソン１の刃口部１１周辺の土を掘削して穴３を形成し、隙間４を形成せずにそのままケーソン１を沈下させる。ケーソン１が沈下中に傾いた際に初めてケーソン１の低い側１３の下方に形成した穴３からケーソン１の外周壁１２の外側を掘削して外周壁１２と土壁５との間に隙間４を形成し、隙間４へ緩衝材２を挿入する。ケーソン１の低い側１３の土の掘削を止めて、ケーソン１の高い側１４の刃口部１１周辺の土を掘削して穴３を形成すれば、緩衝材２が圧縮されてケーソン１の傾斜を修正しながらケーソン１の高い側１４が沈下する。なお、ケーソン１の高い側１４の外側にも隙間４を形成して緩衝材２を挿入してもよい。ケーソン１の傾きが修正されるまで隙間４を形成して緩衝材２を挿入しながらケーソン１を沈下させ、ケーソン１が水平になった所で隙間４の形成及び緩衝材２の挿入を止める。ケーソン１が再び傾いた際は、上記作業を繰り返す。緩衝材２はスラブ型でもブロック型でも良い。隙間４の幅は20 cm程度が望ましい。なお、ケーソン１の形状は円筒状でも四角筒状でも、どんな形状であってもよい。
【実施例】
【００１４】
以下、本発明をオープンケーソン工法により実施した例を示す。鉄筋コンクリート製の底なしケーソン１を地上で構築した。家庭用電化製品の発泡スチロール梱包材をリサイクルして緩衝材２として使用した。防水膜７としてアスファルト防水材を用いた。ケーソン１の刃口部１１周辺の土を30 cm程度ずつ掘削して穴３を形成した。ケーソン１が沈下中に傾いた際、穴３からケーソン１の外側をスコップで掘ることでケーソン１の外周壁１２と土壁５との間に20 cm程度の幅の隙間４を形成して、穴３から隙間４に手を使って前記発泡スチロールを挿入した。ケーソン１の低い側１３の土の掘削を止めて、ケーソン１の高い側１４の刃口部１１周辺の土を掘削して穴３を形成したら、前記発泡スチロールが圧縮されてケーソン１の傾斜を修正しながらケーソン１の高い側１４が沈下した。ケーソン１が水平になるまで、上記作業を繰り返した。ケーソン１が所定の深さに達したとき、底を整地して配筋してコンクリートを打設して箱型構造物６を構築した。箱型構造物６の内側に前記アスファルト防水材を施してから、箱型構造物６の内部に地下構造物８を建設した。緩衝材２として発泡スチロールをリサイクルして使用したため低コストであり、沈下中のケーソン１の傾きを修正するのも容易であった。また、地下構造物８の上部に建設された建物の中では地震の振動をほとんど感じない。さらに、箱型構造体６の内側にアスファルト防水材を施したことにより、地下構造物８は完全な外防水が施されている。
【符号の説明】
【００１５】
１    ケーソン
１１ 
ケーソン1の刃口部
１２  ケーソン1の外周壁
１３  ケーソン1の低い側
１４  ケーソン1の高い側
２、２１、２２    緩衝材
３    穴
４    隙間
５    土壁
６    箱型構造物
７    防水膜
８    地下構造物
【図１】
2014077282.tif 000003
【図２】
2014077282.tif 000004
【図３】
2014077282.tif 000005
【図４】
2014077282.tif 000006
【図５】
2014077282.tif 000007